(57)【要約】      （修正有）【課題】支持シート上に横たわる患者の側面部分に対して刺激を与えるマッサージ装置を提供する。【解決手段】本体ハウジング１の上方開口が、弾性シートからなる支持シート２により施蓋される。本体ハウジング１内に、噴射用液体を噴射するための噴射ノズル１０、２０が配設されている。支持シート２上に仰向けで支承された患者Ｊの周囲位置、例えば肩部付近において、支持シート２を弾性変形させて上方へ突出する位置に、横噴射用ノズル２０が設けられ、噴射用液体が、支持シート２を介して、患者Ｊに対して横方向から噴射される。横噴射用ノズル２０は、縦軸部材に回動自在に保持された回転体２３に噴射口を形成して、この噴射口から噴射される噴射用液体の反力によって、回転体２３が回転（自転）する。噴射ノズル２０を上方から覆うカバー部材３０を設けて、横噴射用ノズル２０の位置で支持シート２を上方へ突出（膨出）した状態を確保する。【選択図】図２
2015208372.tif 000002
【特許請求の範囲】
【請求項１】
本体ハウジングの上方開口が、弾性シートからなる支持シートにより施蓋され、
前記本体ハウジング内に、該本体ハウジング内の噴射用液体を噴射するための噴射ノズルが配設されてなる液体式マッサージ装置であって、
前記噴射ノズルとして、前記支持シート上に仰向けで支承された状態での患者の周囲位置において、該支持シートが弾性変形されて上方へ突出する位置において横噴射用ノズルが設けられ、
前記横噴射用ノズルからの噴射用液体が、前記支持シートのうち上方への突出部分を介して、患者に対して横方向から噴射される、
ことを特徴とする液体式マッサージ装置。
【請求項２】
請求項１において、
前記噴射ノズルとして、上方へ向けて噴射用液体を噴射する上噴射用ノズルをさらに有し、
前記上噴射用ノズルからの噴射用液体が、前記支持シートを介して、前記支持シート上に仰向けで支承された状態での患者に対して下方から噴射される、
ことを特徴とする液体式マッサージ装置。
【請求項３】
請求項２において、
前記上噴射用ノズルが、前記本体ハウジングの長手方向に移動可能とされ、
前記横噴射用ノズルが、前記上噴射用ノズルの移動軌跡と干渉しない位置に固定設置されている、
ことを特徴とする液体式マッサージ装置。
【請求項４】
請求項２または請求項３において、
前記横噴射用ノズルからのみ噴射用液体が噴射される第１噴射状態と、前記上噴射用ノズルからのみ噴射用液体が噴射される第２噴射状態と、該横噴射用ノズルと上噴射用ノズルとの両方から同時に噴射用液体が噴射される第３噴射状態との３つの噴射状態のうち任意の１つの噴射状態を、マニュアル操作により選択可能とされている、ことを特徴とする液体式マッサージ装置。
【請求項５】
請求項２または請求項３において、
前記上噴射用ノズルからのみ噴射用液体が噴射される噴射状態と、該上噴射用ノズルと前記横噴射用との両方から噴射用液体が噴射される噴射状態との２つの噴射状態のうち任意の１つの噴射状態を、マニュアル操作により選択可能とされている、ことを特徴とする液体式マッサージ装置。
【請求項６】
請求項２または請求項３において、
前記横噴射用ノズルからのみ噴射用液体が噴射される第１噴射状態と、前記上噴射用ノズルからのみ噴射用液体が噴射される第２噴射状態と、該横噴射用ノズルと上噴射用ノズルとの両方から同時に噴射用液体が噴射される第３噴射状態との３つの噴射状態の間で、自動的に切換えが行われる、ことを特徴とする液体式マッサージ装置。
【請求項７】
請求項２または請求項３において、
前記上噴射用ノズルからのみ噴射用液体が噴射される噴射状態と、該上噴射用ノズルと前記横噴射用との両方から噴射用液体が噴射される噴射状態との２つの噴射状態の間で自動的に切換えが行われる、ことを特徴とする液体式マッサージ装置。
【請求項８】
請求項１ないし請求項７のいずれか１項において、
前記横噴射用ノズルを上方から覆うカバー部材が設けられ、
前記カバー部材によって、前記噴射ノズルと前記支持シートとの接触が防止されている、
ことを特徴とする液体式マッサージ装置。
【請求項９】
請求項８において、
前記カバー部材の上面に、該カバー部材と前記支持シートとの間に挟持される弾性材からなる緩衝部材が取付けられている、ことを特徴とする液体式マッサージ装置。
【請求項１０】
請求項８または請求項９において、
前記横噴射用ノズルが、固定軸と、該固定軸に回転自在に保持された回転体と、該回転体に形成された噴射用液体の噴射口と、を備え、
前記横噴射用ノズルの前記噴射口から噴射用液体が噴射されたときに、前記回転体の接線方向の速度成分を有するように該噴射口が形成されていて、該噴射口からの噴射用液体の噴射に応じて該回転体が回転されるようにされている、
ことを特徴とする液体式マッサージ装置。
【請求項１１】
請求項１０において、
前記固定軸が略上下方向に伸びる縦軸式とされ、
前記横噴射用ノズルの前記噴射口が、前記固定軸と直交する放射方向にほぼ沿う方向へ噴射用液体を噴射するようにされ、
前記カバー部材が、前記回転体の側方を覆うと共に、該回転体の周方向一部においてのみ噴射用液体を通過させるための通過口が形成され、
前記回転体の回転に応じて前記噴射口が前記通過口と整合する位置となったときにのみ、該噴射口からの噴射用液体が前記通過口を通して噴射される、
ことを特徴とする液体式マッサージ装置。
【請求項１２】
請求項１０において、
前記固定軸が、略水平方向に伸びる横軸式とされ、
前記横噴射用ノズルの前記噴射口が、前記固定軸の軸線方向にほぼ沿う方向へ噴射用液体を噴射する、
ことを特徴とする液体式マッサージ装置。
【請求項１３】
請求項１ないし請求項１２のいずれか１項において、
前記横噴射用ノズルが、左右対称位置に一対設けられている、ことを特徴とする液体式マッサージ装置。
【請求項１４】
請求項１ないし請求項１３のいずれか１項において、
前記横噴射用ノズルが、前記支持シート上に仰向けに支持された患者の肩部付近に位置されて、患者の肩部に対して横方向からの噴射用液体を噴射するようにされている、
ことを特徴とする液体式マッサージ装置。
【請求項１５】
請求項１ないし請求項１３のいずれか１項において、
前記横噴射用ノズルが、前記支持シート上に仰向けに支持された患者の肩部付近と腰部付近と脚部付近と足裏付近とのうち少なくとも２カ所以上において、少なくともそれぞれ左右一対づつ設けられている、ことを特徴とする液体式マッサージ装置。
【発明の詳細な説明】
【技術分野】
【０００１】
本発明は、液体式マッサージ装置に関するものである。
【背景技術】
【０００２】
液体式マッサージ装置は、本体ハウジングの上方開口が、患者支承用となる支持シートにより施蓋されて、この本体ハウジング内に配設された噴射ノズルから上方に向けて噴射用液体が噴射されるようになっている。噴射ノズルとして、上下方向軸線周りに回転される回転体を有して、この回転体に噴射口を形成したものがある。
【０００３】
特許文献１には、回転体に形成された噴射口が曲げ形成されて、噴射口からの噴射用液体の噴射（の反力）を利用して、回転体を自転させるものが開示されている。特許文献２には、回転体を別途設けた駆動源により回転させると共に、本体ハウジングの長手方向に回転体（つまし噴射ノズル）を移動可能としたものが開示されている。
【先行技術文献】
【特許文献】
【０００４】
【特許文献１】特開２０００−３２５４２０号公報
【特許文献２】特開２００４−１８０６９６号公報
【発明の概要】
【発明が解決しようとする課題】
【０００５】
前述した液体式マッサージ装置は、噴射ノズルからの噴射用液体の噴射方向は、上方に向かうのみとなる。したがって、支持シートに支持された患者が例えば仰向けの場合は、患者の背中や腰裏、脚部の裏等、患者の背面部分のみへの刺激となる。
【０００６】
一方、患者の中には、例えば肩部への刺激等、仰向け姿勢にあるときの患者の側面への刺激を望む者も少なからず存在するが、従来の液体式マッサージ装置ではこのような要求に全く対応できないものであった。
【０００７】
本発明は以上のような事情を勘案してなされたもので、その目的は、支持シート上に横たわる患者の側面部分に対して刺激を与えることのできるようにした液体式マッサージ装置を提供することにある。
【課題を解決するための手段】
【０００８】
前記目的を達成するため、本発明にあっては次のような解決手法を採択してある。すなわち、特許請求の範囲における請求項１に記載のように、
本体ハウジングの上方開口が、弾性シートからなる支持シートにより施蓋され、
前記本体ハウジング内に、該本体ハウジング内の噴射用液体を噴射するための噴射ノズルが配設されてなる液体式マッサージ装置であって、
前記噴射ノズルとして、前記支持シート上に仰向けで支承された状態での患者の周囲位置において、該支持シートが弾性変形されて上方へ突出する位置において横噴射用ノズルが設けられ、
前記横噴射用ノズルからの噴射用液体が、前記支持シートのうち上方への突出部分を介して、患者に対して横方向から噴射される、
ようにしてある。上記解決手法によれば、支持シート上に横たわる患者の側面部分に対しても噴射用液体による刺激を与えることができ、マッサージ効果をより高める等の上で好ましいものとなる。
上記解決手法を前提とした好ましい態様は、特許請求の範囲における請求項２以下に記載のとおりである。すなわち、
前記噴射ノズルとして、上方へ向けて噴射用液体を噴射する上噴射用ノズルをさらに有し、
前記上噴射用ノズルからの噴射用液体が、前記支持シートを介して、前記支持シート上に仰向けで支承された状態での患者に対して下方から噴射される、
ようにしてある（請求項２対応）。この場合、下方からの刺激付与と横方向からの刺激付与とを行うことができる。
【０００９】
前記上噴射用ノズルが、前記本体ハウジングの長手方向に移動可能とされ、
前記横噴射用ノズルが、前記上噴射用ノズルの移動軌跡と干渉しない位置に固定設置されている、
ようにしてある（請求項３対応）。この場合、上噴射用ノズルを、横噴射用ノズルに邪魔されることなく移動可能として広い威範囲に渡ってマッサージを行なうことができる。
【００１０】
前記横噴射用ノズルからのみ噴射用液体が噴射される第１噴射状態と、前記上噴射用ノズルからのみ噴射用液体が噴射される第２噴射状態と、該横噴射用ノズルと上噴射用ノズルとの両方から同時に噴射用液体が噴射される第３噴射状態との３つの噴射状態のうち任意の１つの噴射状態を、マニュアル操作により選択可能とされている、ようにしてある（請求項４対応）。この場合、患者の好みに応じた最適なマッサージを行う上で好ましいものとなる。
【００１１】
前記上噴射用ノズルからのみ噴射用液体が噴射される噴射状態と、該上噴射用ノズルと前記横噴射用との両方から噴射用液体が噴射される噴射状態との２つの噴射状態のうち任意の１つの噴射状態を、マニュアル操作により選択可能とされている、ようにしてある（請求項５対応）。この場合、患者の好みに応じた最適なマッサージを行う上で好ましいものとなる。
【００１２】
前記横噴射用ノズルからのみ噴射用液体が噴射される第１噴射状態と、前記上噴射用ノズルからのみ噴射用液体が噴射される第２噴射状態と、該横噴射用ノズルと上噴射用ノズルとの両方から同時に噴射用液体が噴射される第３噴射状態との３つの噴射状態の間で、自動的に切換えが行われる、ようにしてある（請求項６対応）。この場合、３つの噴射状態の間で自動的に切換えが行われて、複雑な刺激を与える上で好ましいものとなる。
【００１３】
前記上噴射用ノズルからのみ噴射用液体が噴射される噴射状態と、該上噴射用ノズルと前記横噴射用との両方から噴射用液体が噴射される噴射状態との２つの噴射状態の間で自動的に切換えが行われる、ようにしてある（請求項７対応）。この場合、２つの噴射状態の間で自動的に切換えが行われて、複雑な刺激を与える上で好ましいものとなる。
【００１４】
前記横噴射用ノズルを上方から覆うカバー部材が設けられ、
前記カバー部材によって、前記噴射ノズルと前記支持シートとの接触が防止されている、
ようにしてある（請求項８対応）。この場合、横噴射用ノズルによって不用意に支持シートを損傷させてしまう等の事態を防止する上で好ましいものとなる。
【００１５】
前記カバー部材の上面に、該カバー部材と前記支持シートとの間に挟持される弾性材からなる緩衝部材が取付けられている、ようにしてある（請求項９対応）。この場合、支持シートの損傷防止の上でより一層好ましいものとなる。
【００１６】
前記横噴射用ノズルが、固定軸と、該固定軸に回転自在に保持された回転体と、該回転体に形成された噴射用液体の噴射口と、を備え、
前記横噴射用ノズルの前記噴射口から噴射用液体が噴射されたときに、前記回転体の接線方向の速度成分を有するように該噴射口が形成されていて、該噴射口からの噴射用液体の噴射に応じて該回転体が回転されるようにされている、
ようにしてある（請求項１０対応）。この場合、噴射口の位置を回転体の回転に応じて変更して、より効果的にマッサージを行う等の上で好ましいものとなる。また、噴射用液体の噴射を有効に利用して回転体を回転させるので、別途回転用の駆動源を設ける場合に比して、構成も簡単となる。
【００１７】
前記固定軸が略上下方向に伸びる縦軸式とされ、
前記横噴射用ノズルの前記噴射口が、前記固定軸と直交する放射方向にほぼ沿う方向へ噴射用液体を噴射するようにされ、
前記カバー部材が、前記回転体の側方を覆うと共に、該回転体の周方向一部においてのみ噴射用液体を通過させるための通過口が形成され、
前記回転体の回転に応じて前記噴射口が前記通過口と整合する位置となったときにのみ、該噴射口からの噴射用液体が前記通過口を通して噴射される、
ようにしてある（請求項１１対応）。この場合、回転中心軸が上下方向に伸びる縦軸式の場合に、所望方向へ噴射用液体を噴射させることができる。
【００１８】
前記固定軸が、略水平方向に伸びる横軸式とされ、
前記横噴射用ノズルの前記噴射口が、前記固定軸の軸線方向にほぼ沿う方向へ噴射用液体を噴射する、
ようにしてある（請求項１２対応）。この場合、回転中心軸が横方向に伸びる横軸式の場合に、所望方向へ噴射用液体を噴射させることができる。
【００１９】
前記横噴射用ノズルが、左右対称位置に一対設けられている、ようにしてある（請求項１３対応）。この場合、患者の左右対称位置に同時に横方向から刺激を与えることができる。
【００２０】
前記横噴射用ノズルが、前記支持シート上に仰向けに支持された患者の肩部付近に位置されて、患者の肩部に対して横方向からの噴射用液体を噴射するようにされている、ようにしてある（請求項１４対応）。この場合、肩部のマッサージを望む患者が多いことから、この患者の要望に応えることができる。
【００２１】
前記横噴射用ノズルが、前記支持シート上に仰向けに支持された患者の肩部付近と腰部付近と脚部付近と足裏付近とのうち少なくとも２カ所以上において、少なくともそれぞれ左右一対づつ設けられている、ようにしてある（請求項１５対応）。この場合、患者の種々の部位について、左右から横方向への刺激を与えることができる。
【発明の効果】
【００２２】
本発明によれば、噴射用液体の噴射を横方向へ行えるようにして、従来刺激を与えることのできなかった部位へのマッサージを行うことができる。
【図面の簡単な説明】
【００２３】
【図１】本発明が適用された液体式マッサージ装置の平面図。
【図２】図１のＸ２−Ｘ２線方向断面図。
【図３】横噴射用ノズル部分を患者との位置関係と共に示す要部平面図。
【図４】横噴射用ノズルの詳細を示す断面図。
【図５】横噴射用ノズルの別の例を、患者との位置関係と共に示す一部断面した要部平面図。
【図６】図５に示す横噴射用ノズルを側方から見たときの状態を、患者との位置関係と共に示す一部断面して示す要部側面図。
【図７】図５、図６に示す横噴射用ノズルの詳細を示す断面図。
【図８】横噴射用ノズルの別の配設例を示す平面図。
【図９】噴射用液体の供給系統を、その制御系と共に示す図。
【発明を実施するための形態】
【００２４】
図１、図２において、１は本体ハウジングで、前後方向（図１上下方向）に細長い浴槽型の形状とされている。本体ハウジング１の上方開口部１ａが、大きく弾性変形可能な支持シート２によって施蓋されている。支持シート２の直下方には、編状の補助シート３が配設されている。患者Ｊの荷重（体重）は、もっぱら補助シート３によって支承される。本体ハウジング１内には、噴射用液体が貯溜されて、後述する噴射ノズルから噴射された噴射用液体は、自然落下して、再び噴射ノズルからの噴射用として用いられることになる。
【００２５】
本体ハウジング１内には、上噴射用ノズル１０と横噴射用ノズル２０とが配設されている。上噴射用ノズル１０は、左右一対の回転体１１を有して、各回転体１１には、上方に向けた開口された噴射口１２が形成されている。左右一対の回転体１１は、図示を略す駆動源からの駆動力を受けて、互いに反対方向に回転されるようになっている。そして、左右一対の回転体１１は、駆動源からの駆動力を受けて、本体ハウジング１の長手方向に移動可能（往復動可能）とされている。なお、このような移動式の回転体１１を有する液体式マッサージ装置そのものは既知なので、これ以上の説明は省略する。なお、図２では、上噴射用ノズル１１に関する移動部分をドットを付して示してあり、このドットを付した部分が全体的に前後方向に移動されることになる。
【００２６】
支持シート２上に仰向けに支承された患者Ｊの肩部付近に位置させて、左右一対の横噴射用ノズル２０が配設されている。横噴射用ノズル２０が配設された部分においては、後述するカバー部材３０によって、支持シート２が上方へ大きく突出（膨出）するように弾性変形された状態とされている。そして、このカバー部材３０の下方に、横噴射用ノズル２０が配設されている。
【００２７】
噴射ノズル２０の詳細について、図３、図４をも参照しつつ説明する。まず、図１に示す患者Ｊの肩部付近に、左右方向（図１左右方向）に伸びる保持ブラケット４０が配設されている。この保持ブラケット４０は、例えばステンレス系の金属部材によりボックス状に形成されて、強度部材とされると共に、その内部が噴射用液体の供給通路とされている。この保持ブラケット４０の左右端部は、取付ブラケット４２を介して、本体ハウジング１の左右の側壁部に固定具４１により固定されている。そして、この保持ブラケット４０は、上噴射ノズル１０の移動軌跡よりも高い位置に設定されて、移動される上噴射用ノズル１０と干渉しないようにされている。
【００２８】
保持ブラケット４０の上面には、筒状の中間部材４３が固定されている。横噴射用ノズル２０は、上下方向に伸びる縦軸部材２１と、縦軸部材２１に対して軸受２２を介して回転自在に保持された回転体２３と、を有する。回転体２３には、ほぼ水平方向に伸びる噴射口２４が形成されている。なお、回転体２３は、実施形態では２つの部材をボルト２５で結合することにより構成されている。
【００２９】
縦軸部材２１の内部空間２１ａが、中間部材４３内と常時連通されている。また、内部空間２１ａと噴射口２４とが、縦軸部材２１の側壁部に形成された連通口２１ｂによって常時連通されている。中間部材４３内は、ボックス状とされた保持ブラケット４０内に常時連通されている。図２に示すように、保持ブラケット４０の左右方向略中間部に、噴射用液体を供給する配管の接続部４０ａが形成されている。これにより、接続部４０ａに接続された図示を略す配管からの噴射用液体が、保持ブラケット４０内、中間部材４３内、縦軸部材２１の内部空間２１ａ、連通口２１ｂを経て、噴射口２４へと供給される。
【００３０】
噴射口２４の回転体２３外周面への開口方向が、当該開口位置での回転体２３の接線に対して傾斜するように指向されている（例えば曲がり形成）。これにより、噴射口２４から噴射用液体が噴射されると、回転体２３の接線方向の速度成分を有する反力が発生されて、回転体２３が回転（自転）されることになる。左右一対の回転体２３の回転方向は、図１に示すように互いに反対方向となるようにされている。
【００３１】
縦軸部材２１に対して、カバー部材３０が、固定具としてのボルト３１によって固定されている。カバー部材３０は、例えば合成樹脂や金属板を加工することにより形成されている。このカバー部材３０は、回転体２３および縦軸部材２１を上方から覆うと共に、その側面をも覆っている。このカバー部材３０によって、支持シート２が常時上方に突出（膨出）されている。そして、カバー部材３０によって上方へ膨出変形された下方空間に、横噴射用ノズル２０（縦軸部材２１、回転体２３）が配設される形態となっている。なお、カバー部材３０の上面には、弾性材からなる緩衝部材３２がボルト３４により固定されている。カバー部材３０と支持シート２との間に緩衝部材３２が介在されることにより、支持シート２の損傷防止の上で好ましいものとなる。
【００３２】
カバー部材３０の側面のうち、図１に示す患者Ｊの肩部（首の付け根付近から肩先付近）に対応した位置についてのみ、通過口３０ａが形成されている。これにより、回転体２３が回転されつつ噴射口２４から噴射される噴射用液体は、噴射口２４が通過口３０ａと整合した位置となったときにのみ、通過口３０ａを通して噴射されることになる。そして、この通過口３０ａを通過した噴射用液体は、支持シート２（のうち上方へ突出されている部分）を介して、患者Ｊの肩部に対して横方向（側方）から衝突されて、肩部に対する横方向からの刺激付与となる。
【００３３】
図５〜図７は、本発明の第２の実施形態を示すもので、前記実施形態と同一構成要素には同一符号を付してその説明は省略する。本実施形態では、特に、図７に示すように、前記実施形態における縦軸部材２１に代えて、略水平方向に伸びる横軸部材２１Ｂを用いたものとなっている。この横軸部材２１Ｂが、保持ブラケット４０に対して、中間部材５１〜５３を介して取付けられている。具体的には、中間部材５１が保持ブラケット４０に固定され、中間部材５１に中間部材５２が螺合されている。中間部材５２のツバ部５２ａを中間部材５３と締付リング５４とで挟持した状態で、ボルト等の固定具５５によって中間部材５２と５３とが結合される。そして、中間部材５３に対して、横軸部材２１Ｂがねじ結合されている。なお、固定具５５を緩めることにより、横軸部材２１Ｂの向きを変更可能であり、横軸部材２１Ｂを所望方向（患者Ｊの肩部）に指向させた状態で、固定具５５を締め付けることにより、この状態が維持される。
【００３４】
横軸部材２１Ｂに回動自在に保持された回転体２３Ｂ（２３対応）には、横方向に向けて伸びる噴射口２４Ｂ（２４対応）が形成されている。勿論、この噴射口２４Ｂの指向方向は、患者Ｊの肩部とされている。
【００３５】
保持ブラケット３０内からの噴射用液体は、中間部材５１〜５３を通った後、横軸部材２３Ｂ内の内部空間２１ａ、連通口２１ｂを経て、噴射口２４Ｂから噴射される。噴射口２４Ｂからの噴射用液体の噴射により、回転体２３Ｂが回転（自転）される。
【００３６】
カバー部材３０Ｂ（３０対応）は、患者Ｊの肩部に対応した位置においてのみ、通過口３０ａが形成されている。これにより、噴射口２４Ｂから通過口３０ａを通過した噴射用液体は、支持シート２（の上方への突出部分）を介して、患者Ｊの肩部に横方向から刺激を与えることになる。なお、本実施形態では、カバー部材３０Ｂの上面に、緩衝部材３２を設けていないが、緩衝部材３２を設けてもよい。
【００３７】
図８は、横噴射用ノズル２０を、多数設けた例を示す。各横噴射用ノズル２０を区別するため、符号２０に対してＡ、Ｂ、Ｃ、Ｄ、Ｅの符号を付してある。横噴射用ノズル２０Ａは、前記各実施形態と同様に、患者Ｊの肩部に対して横方向から噴射用液体を噴射するものとなっており、患者Ｊを挟んで左右一対設けられている。横噴射用ノズル２０Ｂは、患者Ｊの腰部に対して横方向から噴射用液体を噴射するもので、患者Ｊを挟んで左右一対設けられている。
【００３８】
横噴射用ノズル２０Ｃは、患者Ｊの開いた脚部（より具体的にはふくらはぎ部）の外側面に対して横方向から噴射用液体を噴射するもので、左右の脚部を挟んで左右一対設けられている。横噴射用ノズル２０Ｄは、患者Ｊの開いた左右の脚部（より具体的にはふくらはぎ部）の間に位置されて、脚部の内側面に対して横方向から噴射用液体を噴射するもので、１つのみ設けられている。横噴射用ノズル２０Ｅは、患者Ｊの足裏に対応した位置に設けられて、左右の足裏に対して噴射用液体を噴射するものとなっており、左右一対設けられている。
【００３９】
図９は、上噴射用ノズル１０と横噴射用ノズル２０への噴射用液体の供給系統例を示すものである。図９中、６１は、本体ハウジング１内の噴射用液体をくみ上げるポンプであり、ポンプ６１はモータ６２によって駆動される。ポンプ６１からの吐出配管６３が２本の分岐配管６３Ａ、６３Ｂに分岐されている。一方の分岐配管６３Ａは、左右の上噴射用ノズル１０に接続されている。分岐配管６３Ａの途中には、電磁式の流量調整弁６４が接続されている。他方の分岐配管６３Ｂは、左右の横噴射用ノズル２０に接続されている。分岐配管６３Ｂの途中には、電磁式の流量調整弁（吐出圧調整弁）６５が接続されている。各流量調整弁６４、６５は、圧力調整弁として把握することもでき、また完全な閉弁状態をもとり得るようになっている。
【００４０】
上記モータ６２の駆動制御および各流量調整弁６４、６５の制御は、マイクロコンピュータを利用して構成されたコントローラ（制御ユニット）Ｕによって制御される。このコントローラＵには、マニュアル操作されるスイッチＳ１〜Ｓ３からの信号が入力される。スイッチＳ１は、ＯＮ／オフ操作用であり、ＯＮ操作されることによって、モータ６２（ポンプ６１）が駆動される。スイッチＳ２は、噴射ノズル１０と２０との噴射態様をマニュアル選択するためのものとなっている。具体的には、横噴射用ノズル２０からのみ噴射用液体を噴射される第１噴射状態と、上噴射用ノズル１０からのみ噴射用液体を噴射させる第２噴射状態と、各噴射ノズル１０と２０の両方から噴射用液体を噴射させる第３噴射状態との３つの噴射状態のなかから、任意の１つの噴射状態を選択できるようになっている。なお、上記第２噴射状態と第３噴射状態との２つの噴射状態との間での切換（選択）を行うものであってもよく、上記第１噴射状態と第３噴射状態との間での切換（選択）えを行うものであってもよい。スイッチＳ３は、各噴射ノズル１０、２０からの噴射量（噴射圧力）を個別に指令するものとなっている。このような、スイッチＳ１〜Ｓ３は、図１に示す操作盤７０に設けられている。
【００４１】
また、自動モード選択スイッチを別途設けて、自動モードが選択されたときは、上記第１〜第３の噴射状態の間で、自動的に切換えが行われるようにしてもよい。具体的には、例えば第１噴射状態→第２噴射状態→第３噴射状態→第１噴射状態・・・・というように、設定された治療時間内において噴射状態を自動切換（自動変更）するようにしてもよい。同様に、上記３つの噴射状態のうち、任意の２つの噴射状態の間で自動的に切換えが行われるようにしてもよい。具体的には、例えば第１噴射状態→第２噴射状態→第１噴射状態・・・としたり、第２噴射状態→第３噴射状態→第２噴射状態・・・・というように、噴射状態を自動切換（自動変更）するようにしてもよい。
【００４２】
以上実施形態について説明したが、本発明は実施形態に限定されるものではなく、特許請求の範囲の記載された範囲において適宜の変更が可能であり、例えば次のような場合をも含むものである。上噴射用ノズル１０は、移動を行わない固定式であってもよく、固定式の上噴射用ノズル１０を、例えば、患者の背中、腰、脚部等に対応させて多数設けるようにしてもよい。また、上噴射用ノズル１０を有しないで、横噴射用ノズル２０（２０Ｂ）のみを有するものであってもよい。横噴射用ノズル２０は、図８に示す位置以外の適宜の部分に設けることも可能である。また、患者Ｊの肩部、腰部、脚部、足裏部のうち、任意の１つあるいは任意の２以上の組み合わせを選択することもでき、特に、肩部と足裏部との２カ所設ける態様が、既存の液体式マッサージ装置を有効に利用して横噴射用ノズル２０（２０Ｂ）を配設できることから好ましいものとなる。横噴射用ノズル２０は、回転しない固定式であってもよ。この場合、横噴射用ノズル２０の上面（支持シート２を接触する面）を極力大きな面積でかつ滑らかな面としておくことにより、別途カバー部材３０を設けない構成とすることもできる。勿論、本発明の目的は、明記されたものに限らず、実質的に好ましいあるいは利点として表現されたものを提供することをも暗黙的に含むものである。
【産業上の利用可能性】
【００４３】
本発明は、液体式マッサージ装置として好適なものを提供できる。
【符号の説明】
【００４４】
Ｕ：コントローラ
Ｓ２：スイッチ（噴射状態選択用）
Ｊ：患者
１：本体ハウジング
２：支持シート
１０：上噴射用ノズル
１１：回転体
１２：噴射口
２０：横噴射用ノズル
２１：縦軸部材
２１Ｂ：横軸部材（図７）
２１ａ：内部空間
２１ｂ：連通口
２２：軸受
２３：回転体
２３Ｂ：回転体（図７）
２４：噴射口
２４Ｂ：噴射口（図７）
３０：カバー部材
３０ａ：通過口
３２：緩衝部材
４０：保持ブラケット
６１：ポンプ
６２：モータ
６３：配管
６３Ａ、６３Ｂ：分岐配管
６４、６５：流量調整弁
【図１】
2015208372.tif 000003
【図２】
2015208372.tif 000004
【図３】
2015208372.tif 000005
【図４】
2015208372.tif 000006
【図５】
2015208372.tif 000007
【図６】
2015208372.tif 000008
【図７】
2015208372.tif 000009
【図８】
2015208372.tif 000010
【図９】
2015208372.tif 000011
【手続補正書】
【提出日】平成27年3月17日(2015.3.17)
【手続補正１】
【補正対象書類名】明細書
【補正対象項目名】全文
【補正方法】変更
【補正の内容】
【発明の詳細な説明】
【技術分野】
【０００１】
本発明は、液体式マッサージ装置に関するものである。
【背景技術】
【０００２】
液体式マッサージ装置は、本体ハウジングの上方開口が、患者支承用となる支持シートにより施蓋されて、この本体ハウジング内に配設された噴射ノズルから上方に向けて噴射用液体が噴射されるようになっている。噴射ノズルとして、上下方向軸線周りに回転される回転体を有して、この回転体に噴射口を形成したものがある。
【０００３】
特許文献１には、回転体に形成された噴射口が曲げ形成されて、噴射口からの噴射用液体の噴射（の反力）を利用して、回転体を自転させるものが開示されている。特許文献２には、回転体を別途設けた駆動源により回転させると共に、本体ハウジングの長手方向に回転体（つまし噴射ノズル）を移動可能としたものが開示されている。
【先行技術文献】
【特許文献】
【０００４】
【特許文献１】特開２０００−３２５４２０号公報
【特許文献２】特開２００４−１８０６９６号公報
【発明の概要】
【発明が解決しようとする課題】
【０００５】
前述した液体式マッサージ装置は、噴射ノズルからの噴射用液体の噴射方向は、上方に向かうのみとなる。したがって、支持シートに支持された患者が例えば仰向けの場合は、患者の背中や腰裏、脚部の裏等、患者の背面部分のみへの刺激となる。
【０００６】
一方、患者の中には、例えば肩部への刺激等、仰向け姿勢にあるときの患者の側面への刺激を望む者も少なからず存在するが、従来の液体式マッサージ装置ではこのような要求に全く対応できないものであった。
【０００７】
本発明は以上のような事情を勘案してなされたもので、その目的は、支持シート上に横たわる患者の側面部分に対して刺激を与えることのできるようにした液体式マッサージ装置を提供することにある。
【課題を解決するための手段】
【０００８】
前記目的を達成するため、本発明にあっては次のような解決手法を採択してある。すなわち、特許請求の範囲における請求項１に記載のように、
本体ハウジングの上方開口が、弾性シートからなる支持シートにより施蓋され、
前記本体ハウジング内に、該本体ハウジング内の噴射用液体を噴射するための噴射ノズルが配設されてなる液体式マッサージ装置であって、
前記噴射ノズルとして、前記支持シート上に仰向けで支承された状態での患者の周囲位置において、該支持シートが弾性変形されて上方へ突出する位置において横噴射用ノズルが設けられ、
前記横噴射用ノズルからの噴射用液体が、前記支持シートのうち上方への突出部分を介して、患者に対して横方向から噴射されるようにされ、
前記横噴射用ノズルを上方から覆って、前記横噴射ノズルと前記支持シートとの接触を防止するカバー部材が設けられ、
前記横噴射用ノズルが、固定軸と、該固定軸に回転自在に保持された回転体と、該回転体に形成された噴射用液体の噴射口と、を備え、
前記横噴射用ノズルの前記噴射口から噴射用液体が噴射されたときに、前記回転体の接線方向の速度成分を有するように該噴射口が形成されていて、該噴射口からの噴射用液体の噴射に応じて該回転体が回転されるようにされ、
前記固定軸が略上下方向に伸びる縦軸式とされ、
前記横噴射用ノズルの前記噴射口が、前記固定軸と直交する放射方向にほぼ沿う方向へ噴射用液体を噴射するようにされ、
前記カバー部材が、前記回転体の側方を覆うと共に、該回転体の周方向一部においてのみ噴射用液体を通過させるための通過口が形成され、
前記回転体の回転に応じて前記噴射口が前記通過口と整合する位置となったときにのみ、該噴射口からの噴射用液体が前記通過口を通して噴射される、
ようにしてある。上記解決手法によれば、支持シート上に横たわる患者の側面部分に対しても噴射用液体による刺激を与えることができ、マッサージ効果をより高める等の上で好ましいものとなる。また、カバー部材によって、横噴射用ノズルによって不用意に支持シートを損傷させてしまう等の事態を防止する上で好ましいものとなる。さらに、噴射口の位置を回転体の回転に応じて変更して、より効果的にマッサージを行う等の上で好ましいものとなる。また、噴射用液体の噴射を有効に利用して回転体を回転させるので、別途回転用の駆動源を設ける場合に比して、構成も簡単となる。以上に加えて、回転中心軸が上下方向に伸びる縦軸式の場合に、所望方向へ噴射用液体を噴射させることができる。
上記解決手法を前提とした好ましい態様は、特許請求の範囲における請求項２以下に記載のとおりである。すなわち、
前記噴射ノズルとして、上方へ向けて噴射用液体を噴射する上噴射用ノズルをさらに有し、
前記上噴射用ノズルからの噴射用液体が、前記支持シートを介して、前記支持シート上に仰向けで支承された状態での患者に対して下方から噴射される、
ようにしてある（請求項２対応）。この場合、下方からの刺激付与と横方向からの刺激付与とを行うことができる。
【０００９】
前記上噴射用ノズルが、前記本体ハウジングの長手方向に移動可能とされ、
前記横噴射用ノズルが、前記上噴射用ノズルの移動軌跡と干渉しない位置に固定設置されている、
ようにしてある（請求項３対応）。この場合、上噴射用ノズルを、横噴射用ノズルに邪魔されることなく移動可能として広い威範囲に渡ってマッサージを行なうことができる。
【００１０】
前記横噴射用ノズルからのみ噴射用液体が噴射される第１噴射状態と、前記上噴射用ノズルからのみ噴射用液体が噴射される第２噴射状態と、該横噴射用ノズルと上噴射用ノズルとの両方から同時に噴射用液体が噴射される第３噴射状態との３つの噴射状態のうち任意の１つの噴射状態を、マニュアル操作により選択可能とされている、ようにしてある（請求項４対応）。この場合、患者の好みに応じた最適なマッサージを行う上で好ましいものとなる。
【００１１】
前記上噴射用ノズルからのみ噴射用液体が噴射される噴射状態と、該上噴射用ノズルと前記横噴射用との両方から噴射用液体が噴射される噴射状態との２つの噴射状態のうち任意の１つの噴射状態を、マニュアル操作により選択可能とされている、ようにしてある（請求項５対応）。この場合、患者の好みに応じた最適なマッサージを行う上で好ましいものとなる。
【００１２】
前記横噴射用ノズルからのみ噴射用液体が噴射される第１噴射状態と、前記上噴射用ノズルからのみ噴射用液体が噴射される第２噴射状態と、該横噴射用ノズルと上噴射用ノズルとの両方から同時に噴射用液体が噴射される第３噴射状態との３つの噴射状態の間で、自動的に切換えが行われる、ようにしてある（請求項６対応）。この場合、３つの噴射状態の間で自動的に切換えが行われて、複雑な刺激を与える上で好ましいものとなる。
【００１３】
前記上噴射用ノズルからのみ噴射用液体が噴射される噴射状態と、該上噴射用ノズルと前記横噴射用との両方から噴射用液体が噴射される噴射状態との２つの噴射状態の間で自動的に切換えが行われる、ようにしてある（請求項７対応）。この場合、２つの噴射状態の間で自動的に切換えが行われて、複雑な刺激を与える上で好ましいものとなる。
【００１４】
【００１５】
前記カバー部材の上面に、該カバー部材と前記支持シートとの間に挟持される弾性材からなる緩衝部材が取付けられている、ようにしてある（請求項８対応）。この場合、支持シートの損傷防止の上でより一層好ましいものとなる。
【００１６】
【００１７】
【００１８】
【００１９】
前記横噴射用ノズルが、左右対称位置に一対設けられている、ようにしてある（請求項９対応）。この場合、患者の左右対称位置に同時に横方向から刺激を与えることができる。
【００２０】
前記横噴射用ノズルが、前記支持シート上に仰向けに支持された患者の肩部付近に位置されて、患者の肩部に対して横方向からの噴射用液体を噴射するようにされている、ようにしてある（請求項１０対応）。この場合、肩部のマッサージを望む患者が多いことから、この患者の要望に応えることができる。
【００２１】
前記横噴射用ノズルが、前記支持シート上に仰向けに支持された患者の肩部付近と腰部付近と脚部付近と足裏付近とのうち少なくとも２カ所以上において、少なくともそれぞれ左右一対づつ設けられている、ようにしてある（請求項１１対応）。この場合、患者の種々の部位について、左右から横方向への刺激を与えることができる。
【発明の効果】
【００２２】
本発明によれば、噴射用液体の噴射を横方向へ行えるようにして、従来刺激を与えることのできなかった部位へのマッサージを行うことができる。
【図面の簡単な説明】
【００２３】
【図１】本発明が適用された液体式マッサージ装置の平面図。
【図２】図１のＸ２−Ｘ２線方向断面図。
【図３】横噴射用ノズル部分を患者との位置関係と共に示す要部平面図。
【図４】横噴射用ノズルの詳細を示す断面図。
【図５】横噴射用ノズルの別の例を、患者との位置関係と共に示す一部断面した要部平面図。
【図６】図５に示す横噴射用ノズルを側方から見たときの状態を、患者との位置関係と共に示す一部断面して示す要部側面図。
【図７】図５、図６に示す横噴射用ノズルの詳細を示す断面図。
【図８】横噴射用ノズルの別の配設例を示す平面図。
【図９】噴射用液体の供給系統を、その制御系と共に示す図。
【発明を実施するための形態】
【００２４】
図１、図２において、１は本体ハウジングで、前後方向（図１上下方向）に細長い浴槽型の形状とされている。本体ハウジング１の上方開口部１ａが、大きく弾性変形可能な支持シート２によって施蓋されている。支持シート２の直下方には、編状の補助シート３が配設されている。患者Ｊの荷重（体重）は、もっぱら補助シート３によって支承される。本体ハウジング１内には、噴射用液体が貯溜されて、後述する噴射ノズルから噴射された噴射用液体は、自然落下して、再び噴射ノズルからの噴射用として用いられることになる。
【００２５】
本体ハウジング１内には、上噴射用ノズル１０と横噴射用ノズル２０とが配設されている。上噴射用ノズル１０は、左右一対の回転体１１を有して、各回転体１１には、上方に向けた開口された噴射口１２が形成されている。左右一対の回転体１１は、図示を略す駆動源からの駆動力を受けて、互いに反対方向に回転されるようになっている。そして、左右一対の回転体１１は、駆動源からの駆動力を受けて、本体ハウジング１の長手方向に移動可能（往復動可能）とされている。なお、このような移動式の回転体１１を有する液体式マッサージ装置そのものは既知なので、これ以上の説明は省略する。なお、図２では、上噴射用ノズル１１に関する移動部分をドットを付して示してあり、このドットを付した部分が全体的に前後方向に移動されることになる。
【００２６】
支持シート２上に仰向けに支承された患者Ｊの肩部付近に位置させて、左右一対の横噴射用ノズル２０が配設されている。横噴射用ノズル２０が配設された部分においては、後述するカバー部材３０によって、支持シート２が上方へ大きく突出（膨出）するように弾性変形された状態とされている。そして、このカバー部材３０の下方に、横噴射用ノズル２０が配設されている。
【００２７】
噴射ノズル２０の詳細について、図３、図４をも参照しつつ説明する。まず、図１に示す患者Ｊの肩部付近に、左右方向（図１左右方向）に伸びる保持ブラケット４０が配設されている。この保持ブラケット４０は、例えばステンレス系の金属部材によりボックス状に形成されて、強度部材とされると共に、その内部が噴射用液体の供給通路とされている。この保持ブラケット４０の左右端部は、取付ブラケット４２を介して、本体ハウジング１の左右の側壁部に固定具４１により固定されている。そして、この保持ブラケット４０は、上噴射ノズル１０の移動軌跡よりも高い位置に設定されて、移動される上噴射用ノズル１０と干渉しないようにされている。
【００２８】
保持ブラケット４０の上面には、筒状の中間部材４３が固定されている。横噴射用ノズル２０は、上下方向に伸びる縦軸部材２１と、縦軸部材２１に対して軸受２２を介して回転自在に保持された回転体２３と、を有する。回転体２３には、ほぼ水平方向に伸びる噴射口２４が形成されている。なお、回転体２３は、実施形態では２つの部材をボルト２５で結合することにより構成されている。
【００２９】
縦軸部材２１の内部空間２１ａが、中間部材４３内と常時連通されている。また、内部空間２１ａと噴射口２４とが、縦軸部材２１の側壁部に形成された連通口２１ｂによって常時連通されている。中間部材４３内は、ボックス状とされた保持ブラケット４０内に常時連通されている。図２に示すように、保持ブラケット４０の左右方向略中間部に、噴射用液体を供給する配管の接続部４０ａが形成されている。これにより、接続部４０ａに接続された図示を略す配管からの噴射用液体が、保持ブラケット４０内、中間部材４３内、縦軸部材２１の内部空間２１ａ、連通口２１ｂを経て、噴射口２４へと供給される。
【００３０】
噴射口２４の回転体２３外周面への開口方向が、当該開口位置での回転体２３の接線に対して傾斜するように指向されている（例えば曲がり形成）。これにより、噴射口２４から噴射用液体が噴射されると、回転体２３の接線方向の速度成分を有する反力が発生されて、回転体２３が回転（自転）されることになる。左右一対の回転体２３の回転方向は、図１に示すように互いに反対方向となるようにされている。
【００３１】
縦軸部材２１に対して、カバー部材３０が、固定具としてのボルト３１によって固定されている。カバー部材３０は、例えば合成樹脂や金属板を加工することにより形成されている。このカバー部材３０は、回転体２３および縦軸部材２１を上方から覆うと共に、その側面をも覆っている。このカバー部材３０によって、支持シート２が常時上方に突出（膨出）されている。そして、カバー部材３０によって上方へ膨出変形された下方空間に、横噴射用ノズル２０（縦軸部材２１、回転体２３）が配設される形態となっている。なお、カバー部材３０の上面には、弾性材からなる緩衝部材３２がボルト３４により固定されている。カバー部材３０と支持シート２との間に緩衝部材３２が介在されることにより、支持シート２の損傷防止の上で好ましいものとなる。
【００３２】
カバー部材３０の側面のうち、図１に示す患者Ｊの肩部（首の付け根付近から肩先付近）に対応した位置についてのみ、通過口３０ａが形成されている。これにより、回転体２３が回転されつつ噴射口２４から噴射される噴射用液体は、噴射口２４が通過口３０ａと整合した位置となったときにのみ、通過口３０ａを通して噴射されることになる。そして、この通過口３０ａを通過した噴射用液体は、支持シート２（のうち上方へ突出されている部分）を介して、患者Ｊの肩部に対して横方向（側方）から衝突されて、肩部に対する横方向からの刺激付与となる。
【００３３】
図５〜図７は、参考例を示すもので、前記実施形態と同一構成要素には同一符号を付してその説明は省略する。本参考例では、特に、図７に示すように、前記実施形態における縦軸部材２１に代えて、略水平方向に伸びる横軸部材２１Ｂを用いたものとなっている。この横軸部材２１Ｂが、保持ブラケット４０に対して、中間部材５１〜５３を介して取付けられている。具体的には、中間部材５１が保持ブラケット４０に固定され、中間部材５１に中間部材５２が螺合されている。中間部材５２のツバ部５２ａを中間部材５３と締付リング５４とで挟持した状態で、ボルト等の固定具５５によって中間部材５２と５３とが結合される。そして、中間部材５３に対して、横軸部材２１Ｂがねじ結合されている。なお、固定具５５を緩めることにより、横軸部材２１Ｂの向きを変更可能であり、横軸部材２１Ｂを所望方向（患者Ｊの肩部）に指向させた状態で、固定具５５を締め付けることにより、この状態が維持される。
【００３４】
横軸部材２１Ｂに回動自在に保持された回転体２３Ｂ（２３対応）には、横方向に向けて伸びる噴射口２４Ｂ（２４対応）が形成されている。勿論、この噴射口２４Ｂの指向方向は、患者Ｊの肩部とされている。
【００３５】
保持ブラケット３０内からの噴射用液体は、中間部材５１〜５３を通った後、横軸部材２３Ｂ内の内部空間２１ａ、連通口２１ｂを経て、噴射口２４Ｂから噴射される。噴射口２４Ｂからの噴射用液体の噴射により、回転体２３Ｂが回転（自転）される。
【００３６】
カバー部材３０Ｂ（３０対応）は、患者Ｊの肩部に対応した位置においてのみ、通過口３０ａが形成されている。これにより、噴射口２４Ｂから通過口３０ａを通過した噴射用液体は、支持シート２（の上方への突出部分）を介して、患者Ｊの肩部に横方向から刺激を与えることになる。なお、本実施形態では、カバー部材３０Ｂの上面に、緩衝部材３２を設けていないが、緩衝部材３２を設けてもよい。
【００３７】
図８は、横噴射用ノズル２０を、多数設けた例を示す。各横噴射用ノズル２０を区別するため、符号２０に対してＡ、Ｂ、Ｃ、Ｄ、Ｅの符号を付してある。横噴射用ノズル２０Ａは、前記各実施形態と同様に、患者Ｊの肩部に対して横方向から噴射用液体を噴射するものとなっており、患者Ｊを挟んで左右一対設けられている。横噴射用ノズル２０Ｂは、患者Ｊの腰部に対して横方向から噴射用液体を噴射するもので、患者Ｊを挟んで左右一対設けられている。
【００３８】
横噴射用ノズル２０Ｃは、患者Ｊの開いた脚部（より具体的にはふくらはぎ部）の外側面に対して横方向から噴射用液体を噴射するもので、左右の脚部を挟んで左右一対設けられている。横噴射用ノズル２０Ｄは、患者Ｊの開いた左右の脚部（より具体的にはふくらはぎ部）の間に位置されて、脚部の内側面に対して横方向から噴射用液体を噴射するもので、１つのみ設けられている。横噴射用ノズル２０Ｅは、患者Ｊの足裏に対応した位置に設けられて、左右の足裏に対して噴射用液体を噴射するものとなっており、左右一対設けられている。
【００３９】
図９は、上噴射用ノズル１０と横噴射用ノズル２０への噴射用液体の供給系統例を示すものである。図９中、６１は、本体ハウジング１内の噴射用液体をくみ上げるポンプであり、ポンプ６１はモータ６２によって駆動される。ポンプ６１からの吐出配管６３が２本の分岐配管６３Ａ、６３Ｂに分岐されている。一方の分岐配管６３Ａは、左右の上噴射用ノズル１０に接続されている。分岐配管６３Ａの途中には、電磁式の流量調整弁６４が接続されている。他方の分岐配管６３Ｂは、左右の横噴射用ノズル２０に接続されている。分岐配管６３Ｂの途中には、電磁式の流量調整弁（吐出圧調整弁）６５が接続されている。各流量調整弁６４、６５は、圧力調整弁として把握することもでき、また完全な閉弁状態をもとり得るようになっている。
【００４０】
上記モータ６２の駆動制御および各流量調整弁６４、６５の制御は、マイクロコンピュータを利用して構成されたコントローラ（制御ユニット）Ｕによって制御される。このコントローラＵには、マニュアル操作されるスイッチＳ１〜Ｓ３からの信号が入力される。スイッチＳ１は、ＯＮ／オフ操作用であり、ＯＮ操作されることによって、モータ６２（ポンプ６１）が駆動される。スイッチＳ２は、噴射ノズル１０と２０との噴射態様をマニュアル選択するためのものとなっている。具体的には、横噴射用ノズル２０からのみ噴射用液体を噴射される第１噴射状態と、上噴射用ノズル１０からのみ噴射用液体を噴射させる第２噴射状態と、各噴射ノズル１０と２０の両方から噴射用液体を噴射させる第３噴射状態との３つの噴射状態のなかから、任意の１つの噴射状態を選択できるようになっている。なお、上記第２噴射状態と第３噴射状態との２つの噴射状態との間での切換（選択）を行うものであってもよく、上記第１噴射状態と第３噴射状態との間での切換（選択）えを行うものであってもよい。スイッチＳ３は、各噴射ノズル１０、２０からの噴射量（噴射圧力）を個別に指令するものとなっている。このような、スイッチＳ１〜Ｓ３は、図１に示す操作盤７０に設けられている。
【００４１】
また、自動モード選択スイッチを別途設けて、自動モードが選択されたときは、上記第１〜第３の噴射状態の間で、自動的に切換えが行われるようにしてもよい。具体的には、例えば第１噴射状態→第２噴射状態→第３噴射状態→第１噴射状態・・・・というように、設定された治療時間内において噴射状態を自動切換（自動変更）するようにしてもよい。同様に、上記３つの噴射状態のうち、任意の２つの噴射状態の間で自動的に切換えが行われるようにしてもよい。具体的には、例えば第１噴射状態→第２噴射状態→第１噴射状態・・・としたり、第２噴射状態→第３噴射状態→第２噴射状態・・・・というように、噴射状態を自動切換（自動変更）するようにしてもよい。
【００４２】
以上実施形態について説明したが、本発明は実施形態に限定されるものではなく、特許請求の範囲の記載された範囲において適宜の変更が可能であり、例えば次のような場合をも含むものである。上噴射用ノズル１０は、移動を行わない固定式であってもよく、固定式の上噴射用ノズル１０を、例えば、患者の背中、腰、脚部等に対応させて多数設けるようにしてもよい。また、上噴射用ノズル１０を有しないで、横噴射用ノズル２０（２０Ｂ）のみを有するものであってもよい。横噴射用ノズル２０は、図８に示す位置以外の適宜の部分に設けることも可能である。また、患者Ｊの肩部、腰部、脚部、足裏部のうち、任意の１つあるいは任意の２以上の組み合わせを選択することもでき、特に、肩部と足裏部との２カ所設ける態様が、既存の液体式マッサージ装置を有効に利用して横噴射用ノズル２０（２０Ｂ）を配設できることから好ましいものとなる。勿論、本発明の目的は、明記されたものに限らず、実質的に好ましいあるいは利点として表現されたものを提供することをも暗黙的に含むものである。
【産業上の利用可能性】
【００４３】
本発明は、液体式マッサージ装置として好適なものを提供できる。
【符号の説明】
【００４４】
Ｕ：コントローラ
Ｓ２：スイッチ（噴射状態選択用）
Ｊ：患者
１：本体ハウジング
２：支持シート
１０：上噴射用ノズル
１１：回転体
１２：噴射口
２０：横噴射用ノズル
２１：縦軸部材
２１Ｂ：横軸部材（図７）
２１ａ：内部空間
２１ｂ：連通口
２２：軸受
２３：回転体
２３Ｂ：回転体（図７）
２４：噴射口
２４Ｂ：噴射口（図７）
３０：カバー部材
３０ａ：通過口
３２：緩衝部材
４０：保持ブラケット
６１：ポンプ
６２：モータ
６３：配管
６３Ａ、６３Ｂ：分岐配管
６４、６５：流量調整弁
【手続補正２】
【補正対象書類名】特許請求の範囲
【補正対象項目名】全文
【補正方法】変更
【補正の内容】
【特許請求の範囲】
【請求項１】
本体ハウジングの上方開口が、弾性シートからなる支持シートにより施蓋され、
前記本体ハウジング内に、該本体ハウジング内の噴射用液体を噴射するための噴射ノズルが配設されてなる液体式マッサージ装置であって、
前記噴射ノズルとして、前記支持シート上に仰向けで支承された状態での患者の周囲位置において、該支持シートが弾性変形されて上方へ突出する位置において横噴射用ノズルが設けられ、
前記横噴射用ノズルからの噴射用液体が、前記支持シートのうち上方への突出部分を介して、患者に対して横方向から噴射されるようにされ、
前記横噴射用ノズルを上方から覆って、前記横噴射ノズルと前記支持シートとの接触を防止するカバー部材が設けられ、
前記横噴射用ノズルが、固定軸と、該固定軸に回転自在に保持された回転体と、該回転体に形成された噴射用液体の噴射口と、を備え、
前記横噴射用ノズルの前記噴射口から噴射用液体が噴射されたときに、前記回転体の接線方向の速度成分を有するように該噴射口が形成されていて、該噴射口からの噴射用液体の噴射に応じて該回転体が回転されるようにされ、
前記固定軸が略上下方向に伸びる縦軸式とされ、
前記横噴射用ノズルの前記噴射口が、前記固定軸と直交する放射方向にほぼ沿う方向へ噴射用液体を噴射するようにされ、
前記カバー部材が、前記回転体の側方を覆うと共に、該回転体の周方向一部においてのみ噴射用液体を通過させるための通過口が形成され、
前記回転体の回転に応じて前記噴射口が前記通過口と整合する位置となったときにのみ、該噴射口からの噴射用液体が前記通過口を通して噴射される、
ことを特徴とする液体式マッサージ装置。
【請求項２】
請求項１において、
前記噴射ノズルとして、上方へ向けて噴射用液体を噴射する上噴射用ノズルをさらに有し、
前記上噴射用ノズルからの噴射用液体が、前記支持シートを介して、前記支持シート上に仰向けで支承された状態での患者に対して下方から噴射される、
ことを特徴とする液体式マッサージ装置。
【請求項３】
請求項２において、
前記上噴射用ノズルが、前記本体ハウジングの長手方向に移動可能とされ、
前記横噴射用ノズルが、前記上噴射用ノズルの移動軌跡と干渉しない位置に固定設置されている、
ことを特徴とする液体式マッサージ装置。
【請求項４】
請求項２または請求項３において、
前記横噴射用ノズルからのみ噴射用液体が噴射される第１噴射状態と、前記上噴射用ノズルからのみ噴射用液体が噴射される第２噴射状態と、該横噴射用ノズルと上噴射用ノズルとの両方から同時に噴射用液体が噴射される第３噴射状態との３つの噴射状態のうち任意の１つの噴射状態を、マニュアル操作により選択可能とされている、ことを特徴とする液体式マッサージ装置。
【請求項５】
請求項２または請求項３において、
前記上噴射用ノズルからのみ噴射用液体が噴射される噴射状態と、該上噴射用ノズルと前記横噴射用との両方から噴射用液体が噴射される噴射状態との２つの噴射状態のうち任意の１つの噴射状態を、マニュアル操作により選択可能とされている、ことを特徴とする液体式マッサージ装置。
【請求項６】
請求項２または請求項３において、
前記横噴射用ノズルからのみ噴射用液体が噴射される第１噴射状態と、前記上噴射用ノズルからのみ噴射用液体が噴射される第２噴射状態と、該横噴射用ノズルと上噴射用ノズルとの両方から同時に噴射用液体が噴射される第３噴射状態との３つの噴射状態の間で、自動的に切換えが行われる、ことを特徴とする液体式マッサージ装置。
【請求項７】
請求項２または請求項３において、
前記上噴射用ノズルからのみ噴射用液体が噴射される噴射状態と、該上噴射用ノズルと前記横噴射用との両方から噴射用液体が噴射される噴射状態との２つの噴射状態の間で自動的に切換えが行われる、ことを特徴とする液体式マッサージ装置。
【請求項８】
請求項１ないし請求項７のいずれか１項において、
前記カバー部材の上面に、該カバー部材と前記支持シートとの間に挟持される弾性材からなる緩衝部材が取付けられている、ことを特徴とする液体式マッサージ装置。
【請求項９】
請求項１ないし請求項８のいずれか１項において、
前記横噴射用ノズルが、左右対称位置に一対設けられている、ことを特徴とする液体式マッサージ装置。
【請求項１０】
請求項１ないし請求項９のいずれか１項において、
前記横噴射用ノズルが、前記支持シート上に仰向けに支持された患者の肩部付近に位置されて、患者の肩部に対して横方向からの噴射用液体を噴射するようにされている、
ことを特徴とする液体式マッサージ装置。
【請求項１１】
請求項１ないし請求項１０のいずれか１項において、
前記横噴射用ノズルが、前記支持シート上に仰向けに支持された患者の肩部付近と腰部付近と脚部付近と足裏付近とのうち少なくとも２カ所以上において、少なくともそれぞれ左右一対づつ設けられている、ことを特徴とする液体式マッサージ装置。
【手続補正書】
【提出日】平成27年4月28日(2015.4.28)
【手続補正１】
【補正対象書類名】明細書
【補正対象項目名】全文
【補正方法】変更
【補正の内容】
【発明の詳細な説明】
【技術分野】
【０００１】
本発明は、液体式マッサージ装置に関するものである。
【背景技術】
【０００２】
液体式マッサージ装置は、本体ハウジングの上方開口が、患者支承用となる支持シートにより施蓋されて、この本体ハウジング内に配設された噴射ノズルから上方に向けて噴射用液体が噴射されるようになっている。噴射ノズルとして、上下方向軸線周りに回転される回転体を有して、この回転体に噴射口を形成したものがある。
【０００３】
特許文献１には、回転体に形成された噴射口が曲げ形成されて、噴射口からの噴射用液体の噴射（の反力）を利用して、回転体を自転させるものが開示されている。特許文献２には、回転体を別途設けた駆動源により回転させると共に、本体ハウジングの長手方向に回転体（つまし噴射ノズル）を移動可能としたものが開示されている。
【先行技術文献】
【特許文献】
【０００４】
【特許文献１】特開２０００−３２５４２０号公報
【特許文献２】特開２００４−１８０６９６号公報
【発明の概要】
【発明が解決しようとする課題】
【０００５】
前述した液体式マッサージ装置は、噴射ノズルからの噴射用液体の噴射方向は、上方に向かうのみとなる。したがって、支持シートに支持された患者が例えば仰向けの場合は、患者の背中や腰裏、脚部の裏等、患者の背面部分のみへの刺激となる。
【０００６】
一方、患者の中には、例えば肩部への刺激等、仰向け姿勢にあるときの患者の側面への刺激を望む者も少なからず存在するが、従来の液体式マッサージ装置ではこのような要求に全く対応できないものであった。
【０００７】
本発明は以上のような事情を勘案してなされたもので、その目的は、支持シート上に横たわる患者の側面部分に対して刺激を与えることのできるようにした液体式マッサージ装置を提供することにある。
【課題を解決するための手段】
【０００８】
前記目的を達成するため、本発明にあっては次のような解決手法を採択してある。すなわち、特許請求の範囲における請求項１に記載のように、
本体ハウジングの上方開口が、弾性シートからなる支持シートにより施蓋され、
前記本体ハウジング内に、該本体ハウジング内の噴射用液体を噴射するための噴射ノズルが配設されてなる液体式マッサージ装置であって、
前記噴射ノズルとして、前記支持シート上に仰向けで支承された状態での患者の周囲位置において、該支持シートが弾性変形されて上方へ突出する位置において横噴射用ノズルが設けられ、
前記横噴射用ノズルからの噴射用液体が、前記支持シートのうち上方への突出部分を介して、患者に対して横方向から噴射されるようにされ、
前記横噴射用ノズルを上方から覆って、前記横噴射用ノズルと前記支持シートとの接触を防止するカバー部材が設けられ、
前記横噴射用ノズルが、固定軸と、該固定軸に回転自在に保持された回転体と、該回転体に形成された噴射用液体の噴射口と、を備え、
前記横噴射用ノズルの前記噴射口から噴射用液体が噴射されたときに、前記回転体の接線方向の速度成分を有するように該噴射口が形成されていて、該噴射口からの噴射用液体の噴射に応じて該回転体が回転されるようにされ、
前記固定軸が略上下方向に伸びる縦軸式とされ、
前記横噴射用ノズルの前記噴射口が、前記固定軸と直交する放射方向にほぼ沿う方向へ噴射用液体を噴射するようにされ、
前記カバー部材が、前記回転体の側方を覆うと共に、該回転体の周方向一部においてのみ噴射用液体を通過させるための通過口が形成され、
前記回転体の回転に応じて前記噴射口が前記通過口と整合する位置となったときにのみ、該噴射口からの噴射用液体が前記通過口を通して噴射される、
ようにしてある。上記解決手法によれば、支持シート上に横たわる患者の側面部分に対しても噴射用液体による刺激を与えることができ、マッサージ効果をより高める等の上で好ましいものとなる。また、カバー部材によって、横噴射用ノズルによって不用意に支持シートを損傷させてしまう等の事態を防止する上で好ましいものとなる。さらに、噴射口の位置を回転体の回転に応じて変更して、より効果的にマッサージを行う等の上で好ましいものとなる。また、噴射用液体の噴射を有効に利用して回転体を回転させるので、別途回転用の駆動源を設ける場合に比して、構成も簡単となる。以上に加えて、回転中心軸が上下方向に伸びる縦軸式の場合に、所望方向へ噴射用液体を噴射させることができる。
上記解決手法を前提とした好ましい態様は、特許請求の範囲における請求項２以下に記載のとおりである。すなわち、
前記噴射ノズルとして、上方へ向けて噴射用液体を噴射する上噴射用ノズルをさらに有し、
前記上噴射用ノズルからの噴射用液体が、前記支持シートを介して、前記支持シート上に仰向けで支承された状態での患者に対して下方から噴射される、
ようにしてある（請求項２対応）。この場合、下方からの刺激付与と横方向からの刺激付与とを行うことができる。
【０００９】
前記上噴射用ノズルが、前記本体ハウジングの長手方向に移動可能とされ、
前記横噴射用ノズルが、前記上噴射用ノズルの移動軌跡と干渉しない位置に固定設置されている、
ようにしてある（請求項３対応）。この場合、上噴射用ノズルを、横噴射用ノズルに邪魔されることなく移動可能として広い威範囲に渡ってマッサージを行なうことができる。
【００１０】
前記横噴射用ノズルからのみ噴射用液体が噴射される第１噴射状態と、前記上噴射用ノズルからのみ噴射用液体が噴射される第２噴射状態と、該横噴射用ノズルと上噴射用ノズルとの両方から同時に噴射用液体が噴射される第３噴射状態との３つの噴射状態のうち任意の１つの噴射状態を、マニュアル操作により選択可能とされている、ようにしてある（請求項４対応）。この場合、患者の好みに応じた最適なマッサージを行う上で好ましいものとなる。
【００１１】
前記上噴射用ノズルからのみ噴射用液体が噴射される噴射状態と、該上噴射用ノズルと前記横噴射用ノズルとの両方から噴射用液体が噴射される噴射状態との２つの噴射状態のうち任意の１つの噴射状態を、マニュアル操作により選択可能とされている、ようにしてある（請求項５対応）。この場合、患者の好みに応じた最適なマッサージを行う上で好ましいものとなる。
【００１２】
前記横噴射用ノズルからのみ噴射用液体が噴射される第１噴射状態と、前記上噴射用ノズルからのみ噴射用液体が噴射される第２噴射状態と、該横噴射用ノズルと上噴射用ノズルとの両方から同時に噴射用液体が噴射される第３噴射状態との３つの噴射状態の間で、自動的に切換えが行われる、ようにしてある（請求項６対応）。この場合、３つの噴射状態の間で自動的に切換えが行われて、複雑な刺激を与える上で好ましいものとなる。
【００１３】
前記上噴射用ノズルからのみ噴射用液体が噴射される噴射状態と、該上噴射用ノズルと前記横噴射用ノズルとの両方から噴射用液体が噴射される噴射状態との２つの噴射状態の間で自動的に切換えが行われる、ようにしてある（請求項７対応）。この場合、２つの噴射状態の間で自動的に切換えが行われて、複雑な刺激を与える上で好ましいものとなる。
【００１４】
【００１５】
前記カバー部材の上面に、該カバー部材と前記支持シートとの間に挟持される弾性材からなる緩衝部材が取付けられている、ようにしてある（請求項８対応）。この場合、支持シートの損傷防止の上でより一層好ましいものとなる。
【００１６】
【００１７】
【００１８】
【００１９】
前記横噴射用ノズルが、左右対称位置に一対設けられている、ようにしてある（請求項９対応）。この場合、患者の左右対称位置に同時に横方向から刺激を与えることができる。
【００２０】
前記横噴射用ノズルが、前記支持シート上に仰向けに支持された患者の肩部付近に位置されて、患者の肩部に対して横方向からの噴射用液体を噴射するようにされている、ようにしてある（請求項１０対応）。この場合、肩部のマッサージを望む患者が多いことから、この患者の要望に応えることができる。
【００２１】
前記横噴射用ノズルが、前記支持シート上に仰向けに支持された患者の肩部付近と腰部付近と脚部付近と足裏付近とのうち少なくとも２カ所以上において、少なくともそれぞれ左右一対づつ設けられている、ようにしてある（請求項１１対応）。この場合、患者の種々の部位について、左右から横方向への刺激を与えることができる。
【発明の効果】
【００２２】
本発明によれば、噴射用液体の噴射を横方向へ行えるようにして、従来刺激を与えることのできなかった部位へのマッサージを行うことができる。
【図面の簡単な説明】
【００２３】
【図１】本発明が適用された液体式マッサージ装置の平面図。
【図２】図１のＸ２−Ｘ２線方向断面図。
【図３】横噴射用ノズル部分を患者との位置関係と共に示す要部平面図。
【図４】横噴射用ノズルの詳細を示す断面図。
【図５】横噴射用ノズルの別の例を、患者との位置関係と共に示す一部断面した要部平面図。
【図６】図５に示す横噴射用ノズルを側方から見たときの状態を、患者との位置関係と共に示す一部断面して示す要部側面図。
【図７】図５、図６に示す横噴射用ノズルの詳細を示す断面図。
【図８】横噴射用ノズルの別の配設例を示す平面図。
【図９】噴射用液体の供給系統を、その制御系と共に示す図。
【発明を実施するための形態】
【００２４】
図１、図２において、１は本体ハウジングで、前後方向（図１上下方向）に細長い浴槽型の形状とされている。本体ハウジング１の上方開口部１ａが、大きく弾性変形可能な支持シート２によって施蓋されている。支持シート２の直下方には、編状の補助シート３が配設されている。患者Ｊの荷重（体重）は、もっぱら補助シート３によって支承される。本体ハウジング１内には、噴射用液体が貯溜されて、後述する噴射ノズルから噴射された噴射用液体は、自然落下して、再び噴射ノズルからの噴射用として用いられることになる。
【００２５】
本体ハウジング１内には、上噴射用ノズル１０と横噴射用ノズル２０とが配設されている。上噴射用ノズル１０は、左右一対の回転体１１を有して、各回転体１１には、上方に向けた開口された噴射口１２が形成されている。左右一対の回転体１１は、図示を略す駆動源からの駆動力を受けて、互いに反対方向に回転されるようになっている。そして、左右一対の回転体１１は、駆動源からの駆動力を受けて、本体ハウジング１の長手方向に移動可能（往復動可能）とされている。なお、このような移動式の回転体１１を有する液体式マッサージ装置そのものは既知なので、これ以上の説明は省略する。なお、図２では、上噴射用ノズル１１に関する移動部分をドットを付して示してあり、このドットを付した部分が全体的に前後方向に移動されることになる。
【００２６】
支持シート２上に仰向けに支承された患者Ｊの肩部付近に位置させて、左右一対の横噴射用ノズル２０が配設されている。横噴射用ノズル２０が配設された部分においては、後述するカバー部材３０によって、支持シート２が上方へ大きく突出（膨出）するように弾性変形された状態とされている。そして、このカバー部材３０の下方に、横噴射用ノズル２０が配設されている。
【００２７】
噴射ノズル２０の詳細について、図３、図４をも参照しつつ説明する。まず、図１に示す患者Ｊの肩部付近に、左右方向（図１左右方向）に伸びる保持ブラケット４０が配設されている。この保持ブラケット４０は、例えばステンレス系の金属部材によりボックス状に形成されて、強度部材とされると共に、その内部が噴射用液体の供給通路とされている。この保持ブラケット４０の左右端部は、取付ブラケット４２を介して、本体ハウジング１の左右の側壁部に固定具４１により固定されている。そして、この保持ブラケット４０は、上噴射ノズル１０の移動軌跡よりも高い位置に設定されて、移動される上噴射用ノズル１０と干渉しないようにされている。
【００２８】
保持ブラケット４０の上面には、筒状の中間部材４３が固定されている。横噴射用ノズル２０は、上下方向に伸びる縦軸部材２１と、縦軸部材２１に対して軸受２２を介して回転自在に保持された回転体２３と、を有する。回転体２３には、ほぼ水平方向に伸びる噴射口２４が形成されている。なお、回転体２３は、実施形態では２つの部材をボルト２５で結合することにより構成されている。
【００２９】
縦軸部材２１の内部空間２１ａが、中間部材４３内と常時連通されている。また、内部空間２１ａと噴射口２４とが、縦軸部材２１の側壁部に形成された連通口２１ｂによって常時連通されている。中間部材４３内は、ボックス状とされた保持ブラケット４０内に常時連通されている。図２に示すように、保持ブラケット４０の左右方向略中間部に、噴射用液体を供給する配管の接続部４０ａが形成されている。これにより、接続部４０ａに接続された図示を略す配管からの噴射用液体が、保持ブラケット４０内、中間部材４３内、縦軸部材２１の内部空間２１ａ、連通口２１ｂを経て、噴射口２４へと供給される。
【００３０】
噴射口２４の回転体２３外周面への開口方向が、当該開口位置での回転体２３の接線に対して傾斜するように指向されている（例えば曲がり形成）。これにより、噴射口２４から噴射用液体が噴射されると、回転体２３の接線方向の速度成分を有する反力が発生されて、回転体２３が回転（自転）されることになる。左右一対の回転体２３の回転方向は、図１に示すように互いに反対方向となるようにされている。
【００３１】
縦軸部材２１に対して、カバー部材３０が、固定具としてのボルト３１によって固定されている。カバー部材３０は、例えば合成樹脂や金属板を加工することにより形成されている。このカバー部材３０は、回転体２３および縦軸部材２１を上方から覆うと共に、その側面をも覆っている。このカバー部材３０によって、支持シート２が常時上方に突出（膨出）されている。そして、カバー部材３０によって上方へ膨出変形された下方空間に、横噴射用ノズル２０（縦軸部材２１、回転体２３）が配設される形態となっている。なお、カバー部材３０の上面には、弾性材からなる緩衝部材３２がボルト３４により固定されている。カバー部材３０と支持シート２との間に緩衝部材３２が介在されることにより、支持シート２の損傷防止の上で好ましいものとなる。
【００３２】
カバー部材３０の側面のうち、図１に示す患者Ｊの肩部（首の付け根付近から肩先付近）に対応した位置についてのみ、通過口３０ａが形成されている。これにより、回転体２３が回転されつつ噴射口２４から噴射される噴射用液体は、噴射口２４が通過口３０ａと整合した位置となったときにのみ、通過口３０ａを通して噴射されることになる。そして、この通過口３０ａを通過した噴射用液体は、支持シート２（のうち上方へ突出されている部分）を介して、患者Ｊの肩部に対して横方向（側方）から衝突されて、肩部に対する横方向からの刺激付与となる。
【００３３】
図５〜図７は、参考例を示すもので、前記実施形態と同一構成要素には同一符号を付してその説明は省略する。本参考例では、特に、図７に示すように、前記実施形態における縦軸部材２１に代えて、略水平方向に伸びる横軸部材２１Ｂを用いたものとなっている。この横軸部材２１Ｂが、保持ブラケット４０に対して、中間部材５１〜５３を介して取付けられている。具体的には、中間部材５１が保持ブラケット４０に固定され、中間部材５１に中間部材５２が螺合されている。中間部材５２のツバ部５２ａを中間部材５３と締付リング５４とで挟持した状態で、ボルト等の固定具５５によって中間部材５２と５３とが結合される。そして、中間部材５３に対して、横軸部材２１Ｂがねじ結合されている。なお、固定具５５を緩めることにより、横軸部材２１Ｂの向きを変更可能であり、横軸部材２１Ｂを所望方向（患者Ｊの肩部）に指向させた状態で、固定具５５を締め付けることにより、この状態が維持される。
【００３４】
横軸部材２１Ｂに回動自在に保持された回転体２３Ｂ（２３対応）には、横方向に向けて伸びる噴射口２４Ｂ（２４対応）が形成されている。勿論、この噴射口２４Ｂの指向方向は、患者Ｊの肩部とされている。
【００３５】
保持ブラケット３０内からの噴射用液体は、中間部材５１〜５３を通った後、横軸部材２３Ｂ内の内部空間２１ａ、連通口２１ｂを経て、噴射口２４Ｂから噴射される。噴射口２４Ｂからの噴射用液体の噴射により、回転体２３Ｂが回転（自転）される。
【００３６】
カバー部材３０Ｂ（３０対応）は、患者Ｊの肩部に対応した位置においてのみ、通過口３０ａが形成されている。これにより、噴射口２４Ｂから通過口３０ａを通過した噴射用液体は、支持シート２（の上方への突出部分）を介して、患者Ｊの肩部に横方向から刺激を与えることになる。なお、本実施形態では、カバー部材３０Ｂの上面に、緩衝部材３２を設けていないが、緩衝部材３２を設けてもよい。
【００３７】
図８は、横噴射用ノズル２０を、多数設けた例を示す。各横噴射用ノズル２０を区別するため、符号２０に対してＡ、Ｂ、Ｃ、Ｄ、Ｅの符号を付してある。横噴射用ノズル２０Ａは、前記各実施形態と同様に、患者Ｊの肩部に対して横方向から噴射用液体を噴射するものとなっており、患者Ｊを挟んで左右一対設けられている。横噴射用ノズル２０Ｂは、患者Ｊの腰部に対して横方向から噴射用液体を噴射するもので、患者Ｊを挟んで左右一対設けられている。
【００３８】
横噴射用ノズル２０Ｃは、患者Ｊの開いた脚部（より具体的にはふくらはぎ部）の外側面に対して横方向から噴射用液体を噴射するもので、左右の脚部を挟んで左右一対設けられている。横噴射用ノズル２０Ｄは、患者Ｊの開いた左右の脚部（より具体的にはふくらはぎ部）の間に位置されて、脚部の内側面に対して横方向から噴射用液体を噴射するもので、１つのみ設けられている。横噴射用ノズル２０Ｅは、患者Ｊの足裏に対応した位置に設けられて、左右の足裏に対して噴射用液体を噴射するものとなっており、左右一対設けられている。
【００３９】
図９は、上噴射用ノズル１０と横噴射用ノズル２０への噴射用液体の供給系統例を示すものである。図９中、６１は、本体ハウジング１内の噴射用液体をくみ上げるポンプであり、ポンプ６１はモータ６２によって駆動される。ポンプ６１からの吐出配管６３が２本の分岐配管６３Ａ、６３Ｂに分岐されている。一方の分岐配管６３Ａは、左右の上噴射用ノズル１０に接続されている。分岐配管６３Ａの途中には、電磁式の流量調整弁６４が接続されている。他方の分岐配管６３Ｂは、左右の横噴射用ノズル２０に接続されている。分岐配管６３Ｂの途中には、電磁式の流量調整弁（吐出圧調整弁）６５が接続されている。各流量調整弁６４、６５は、圧力調整弁として把握することもでき、また完全な閉弁状態をもとり得るようになっている。
【００４０】
上記モータ６２の駆動制御および各流量調整弁６４、６５の制御は、マイクロコンピュータを利用して構成されたコントローラ（制御ユニット）Ｕによって制御される。このコントローラＵには、マニュアル操作されるスイッチＳ１〜Ｓ３からの信号が入力される。スイッチＳ１は、ＯＮ／オフ操作用であり、ＯＮ操作されることによって、モータ６２（ポンプ６１）が駆動される。スイッチＳ２は、噴射ノズル１０と２０との噴射態様をマニュアル選択するためのものとなっている。具体的には、横噴射用ノズル２０からのみ噴射用液体を噴射される第１噴射状態と、上噴射用ノズル１０からのみ噴射用液体を噴射させる第２噴射状態と、各噴射ノズル１０と２０の両方から噴射用液体を噴射させる第３噴射状態との３つの噴射状態のなかから、任意の１つの噴射状態を選択できるようになっている。なお、上記第２噴射状態と第３噴射状態との２つの噴射状態との間での切換（選択）を行うものであってもよく、上記第１噴射状態と第３噴射状態との間での切換（選択）えを行うものであってもよい。スイッチＳ３は、各噴射ノズル１０、２０からの噴射量（噴射圧力）を個別に指令するものとなっている。このような、スイッチＳ１〜Ｓ３は、図１に示す操作盤７０に設けられている。
【００４１】
また、自動モード選択スイッチを別途設けて、自動モードが選択されたときは、上記第１〜第３の噴射状態の間で、自動的に切換えが行われるようにしてもよい。具体的には、例えば第１噴射状態→第２噴射状態→第３噴射状態→第１噴射状態・・・・というように、設定された治療時間内において噴射状態を自動切換（自動変更）するようにしてもよい。同様に、上記３つの噴射状態のうち、任意の２つの噴射状態の間で自動的に切換えが行われるようにしてもよい。具体的には、例えば第１噴射状態→第２噴射状態→第１噴射状態・・・としたり、第２噴射状態→第３噴射状態→第２噴射状態・・・・というように、噴射状態を自動切換（自動変更）するようにしてもよい。
【００４２】
以上実施形態について説明したが、本発明は実施形態に限定されるものではなく、特許請求の範囲の記載された範囲において適宜の変更が可能であり、例えば次のような場合をも含むものである。上噴射用ノズル１０は、移動を行わない固定式であってもよく、固定式の上噴射用ノズル１０を、例えば、患者の背中、腰、脚部等に対応させて多数設けるようにしてもよい。また、上噴射用ノズル１０を有しないで、横噴射用ノズル２０（２０Ｂ）のみを有するものであってもよい。横噴射用ノズル２０は、図８に示す位置以外の適宜の部分に設けることも可能である。また、患者Ｊの肩部、腰部、脚部、足裏部のうち、任意の１つあるいは任意の２以上の組み合わせを選択することもでき、特に、肩部と足裏部との２カ所設ける態様が、既存の液体式マッサージ装置を有効に利用して横噴射用ノズル２０（２０Ｂ）を配設できることから好ましいものとなる。勿論、本発明の目的は、明記されたものに限らず、実質的に好ましいあるいは利点として表現されたものを提供することをも暗黙的に含むものである。
【産業上の利用可能性】
【００４３】
本発明は、液体式マッサージ装置として好適なものを提供できる。
【符号の説明】
【００４４】
Ｕ：コントローラ
Ｓ２：スイッチ（噴射状態選択用）
Ｊ：患者
１：本体ハウジング
２：支持シート
１０：上噴射用ノズル
１１：回転体
１２：噴射口
２０：横噴射用ノズル
２１：縦軸部材
２１Ｂ：横軸部材（図７）
２１ａ：内部空間
２１ｂ：連通口
２２：軸受
２３：回転体
２３Ｂ：回転体（図７）
２４：噴射口
２４Ｂ：噴射口（図７）
３０：カバー部材
３０ａ：通過口
３２：緩衝部材
４０：保持ブラケット
６１：ポンプ
６２：モータ
６３：配管
６３Ａ、６３Ｂ：分岐配管
６４、６５：流量調整弁
【手続補正２】
【補正対象書類名】特許請求の範囲
【補正対象項目名】全文
【補正方法】変更
【補正の内容】
【特許請求の範囲】
【請求項１】
本体ハウジングの上方開口が、弾性シートからなる支持シートにより施蓋され、
前記本体ハウジング内に、該本体ハウジング内の噴射用液体を噴射するための噴射ノズルが配設されてなる液体式マッサージ装置であって、
前記噴射ノズルとして、前記支持シート上に仰向けで支承された状態での患者の周囲位置において、該支持シートが弾性変形されて上方へ突出する位置において横噴射用ノズルが設けられ、
前記横噴射用ノズルからの噴射用液体が、前記支持シートのうち上方への突出部分を介して、患者に対して横方向から噴射されるようにされ、
前記横噴射用ノズルを上方から覆って、前記横噴射用ノズルと前記支持シートとの接触を防止するカバー部材が設けられ、
前記横噴射用ノズルが、固定軸と、該固定軸に回転自在に保持された回転体と、該回転体に形成された噴射用液体の噴射口と、を備え、
前記横噴射用ノズルの前記噴射口から噴射用液体が噴射されたときに、前記回転体の接線方向の速度成分を有するように該噴射口が形成されていて、該噴射口からの噴射用液体の噴射に応じて該回転体が回転されるようにされ、
前記固定軸が略上下方向に伸びる縦軸式とされ、
前記横噴射用ノズルの前記噴射口が、前記固定軸と直交する放射方向にほぼ沿う方向へ噴射用液体を噴射するようにされ、
前記カバー部材が、前記回転体の側方を覆うと共に、該回転体の周方向一部においてのみ噴射用液体を通過させるための通過口が形成され、
前記回転体の回転に応じて前記噴射口が前記通過口と整合する位置となったときにのみ、該噴射口からの噴射用液体が前記通過口を通して噴射される、
ことを特徴とする液体式マッサージ装置。
【請求項２】
請求項１において、
前記噴射ノズルとして、上方へ向けて噴射用液体を噴射する上噴射用ノズルをさらに有し、
前記上噴射用ノズルからの噴射用液体が、前記支持シートを介して、前記支持シート上に仰向けで支承された状態での患者に対して下方から噴射される、
ことを特徴とする液体式マッサージ装置。
【請求項３】
請求項２において、
前記上噴射用ノズルが、前記本体ハウジングの長手方向に移動可能とされ、
前記横噴射用ノズルが、前記上噴射用ノズルの移動軌跡と干渉しない位置に固定設置されている、
ことを特徴とする液体式マッサージ装置。
【請求項４】
請求項２または請求項３において、
前記横噴射用ノズルからのみ噴射用液体が噴射される第１噴射状態と、前記上噴射用ノズルからのみ噴射用液体が噴射される第２噴射状態と、該横噴射用ノズルと上噴射用ノズルとの両方から同時に噴射用液体が噴射される第３噴射状態との３つの噴射状態のうち任意の１つの噴射状態を、マニュアル操作により選択可能とされている、ことを特徴とする液体式マッサージ装置。
【請求項５】
請求項２または請求項３において、
前記上噴射用ノズルからのみ噴射用液体が噴射される噴射状態と、該上噴射用ノズルと前記横噴射用ノズルとの両方から噴射用液体が噴射される噴射状態との２つの噴射状態のうち任意の１つの噴射状態を、マニュアル操作により選択可能とされている、ことを特徴とする液体式マッサージ装置。
【請求項６】
請求項２または請求項３において、
前記横噴射用ノズルからのみ噴射用液体が噴射される第１噴射状態と、前記上噴射用ノズルからのみ噴射用液体が噴射される第２噴射状態と、該横噴射用ノズルと上噴射用ノズルとの両方から同時に噴射用液体が噴射される第３噴射状態との３つの噴射状態の間で、自動的に切換えが行われる、ことを特徴とする液体式マッサージ装置。
【請求項７】
請求項２または請求項３において、
前記上噴射用ノズルからのみ噴射用液体が噴射される噴射状態と、該上噴射用ノズルと前記横噴射用ノズルとの両方から噴射用液体が噴射される噴射状態との２つの噴射状態の間で自動的に切換えが行われる、ことを特徴とする液体式マッサージ装置。
【請求項８】
請求項１ないし請求項７のいずれか１項において、
前記カバー部材の上面に、該カバー部材と前記支持シートとの間に挟持される弾性材からなる緩衝部材が取付けられている、ことを特徴とする液体式マッサージ装置。
【請求項９】
請求項１ないし請求項８のいずれか１項において、
前記横噴射用ノズルが、左右対称位置に一対設けられている、ことを特徴とする液体式マッサージ装置。
【請求項１０】
請求項１ないし請求項９のいずれか１項において、
前記横噴射用ノズルが、前記支持シート上に仰向けに支持された患者の肩部付近に位置されて、患者の肩部に対して横方向からの噴射用液体を噴射するようにされている、
ことを特徴とする液体式マッサージ装置。
【請求項１１】
請求項１ないし請求項１０のいずれか１項において、
前記横噴射用ノズルが、前記支持シート上に仰向けに支持された患者の肩部付近と腰部付近と脚部付近と足裏付近とのうち少なくとも２カ所以上において、少なくともそれぞれ左右一対づつ設けられている、ことを特徴とする液体式マッサージ装置。